(57)【特許請求の範囲】
【請求項１】
超音波発振器の作動によって貯蔵槽内に貯蔵された液体を霧化して外部に噴射するミスト噴霧器において、
前記貯蔵槽の内部と連通可能な空気流入通路の形成のために第１連通部と通気孔を備えたハウジング；
前記貯蔵槽の内部への外部空気の流入を許容または遮断するために前記ハウジングに設置される通気孔開閉調節部；
前記通気孔開閉調節部の開閉を調節するために移動可能に設置されるカバースイッチ；及び
前記カバースイッチの動作に連動して、前記通気孔開閉調節部に開閉のための操作力を提供するヒンジレバー；を含むことを特徴とする、ミスト噴霧器。
【請求項２】
前記カバースイッチの操作の際、作動感と復元性の提供のために設置されるリターンスプリングをさらに含むことを特徴とする、請求項１に記載のミスト噴霧器。
【請求項３】
前記第１連通部は前記貯蔵槽の上部に形成されることを特徴とする、請求項１に記載のミスト噴霧器。
【請求項４】
前記通気孔開閉調節部は、前記ハウジング内に設置され、空気流入通路を開閉させるエアベントパッキング、及び前記ハウジング内で前記エアベントパッキングの背面を弾支して空気流入通路を常に閉鎖させる方向に付勢するエアベントスプリングを含むことを特徴とする、請求項１〜３のいずれか一項に記載のミスト噴霧器。
【請求項５】
前記エアベントパッキングは、前記エアベントスプリングの一側自由端部を収容する開口部を背面に備えた胴体、前記胴体の前面で前記ヒンジレバーによって加圧される受圧部、及び前記受圧部の全周にわたって放射状に外部に突出して前記ハウジング内で空気流入通路を密閉させる気密部を含むことを特徴とする、請求項４に記載のミスト噴霧器。
【請求項６】
前記カバースイッチは、操作のための把持部、前記把持部の背面に所定間隔の結合溝を置いて離隔した支持プレート、及び前記支持プレートの一端部に前記ヒンジレバーの旋回のために形成された突出部を含むことを特徴とする、請求項２に記載のミスト噴霧器。
【請求項７】
前記カバースイッチは前記リターンスプリングの自由端部との結合のための結合孔を含み、前記結合孔は前記突出部に形成されることを特徴とする、請求項６に記載のミスト噴霧器。
【請求項８】
前記支持プレートは、前記超音波発振器の出口に連通可能なミスト噴射孔、及び前記カバースイッチの移動の検出のためのマグネチックの設置のための装着孔を含むことを特徴とする、請求項６に記載のミスト噴霧器。
【請求項９】
前記ヒンジレバーは、旋回可能に設置される回転軸、前記カバースイッチと接触可能に形成された受圧部、及び前記通気孔開閉調節部の開閉切替のための加圧部を含むことを特徴とする、請求項１〜３のいずれか一項に記載のミスト噴霧器。
【請求項１０】
上下に分割されて組み立てられる本体、及び前記本体内の上部で左右に分割されて組み立てられる副本体をさらに含み；
前記副本体は、前記カバースイッチのガイドのために上下方向に突出した設置部、前記リターンスプリングの固定端部を軸支する中実型ボス部、前記ヒンジレバーを軸支する中空型ボス部、及び前記超音波発振器の設置のための定着孔を含むことを特徴とする、請求項２に記載のミスト噴霧器。
【発明の詳細な説明】
【技術分野】
【０００１】
本発明はミスト噴霧器に関するものであり、特にカバースイッチの開閉操作に連動して貯蔵槽側通気孔が自動的に開閉転換できるようにした通気孔の開閉調節機能を有するミスト噴霧器に関するものである。
【背景技術】
【０００２】
過去から現在に至るまで絶えず追求されてきた人間の欲望の一つは美しい外貌を持続的に維持することである。このような点で皮膚美容に対する関心も一緒に追求されてきた。特に、人間の皮膚は老化につれて水分量が減少して乾燥するので小じわの発生を伴うことになる。したがって、皮膚に持続的に水分及び栄養を供給することによる保湿効果を高めることで老化を防止しようとする多くの努力が注がれており、このような努力は女性だけでなく男性にも広く拡がっている状況にある。
【０００３】
このような努力の結果として、精製水、化粧水または薬剤溶液など諸種の液体類を微粒子状に霧化させて顔や首などのいろいろの部位に噴射して皮膚の保湿効果を得るためにミスト噴霧器（Ｍｉｓｔ ｓｐｒａｙｅｒ）が開発された。一例として、従来のミスト噴霧器は多様な形態に開発されたが、その代表的な器機は、美容水を貯蔵する容器と、その容器内に貯蔵された美容水を微粒子状に霧化させて外部に噴射させることができる超音波発振器を備えたものである。この場合、ミスト噴霧器は、美容水を貯蔵している容器を交換可能な構造のものにすることで、美容水の消尽に備えているだけでなく超音波発振器とは液体の供給が可能な形態の連通構造を備えている。また、使用時に容器内に貯蔵された液体を超音波発振器に持続的に供給するために、外部空気を容器の内部に流入することができる通気孔を備えている。
【０００４】
ところが、前記のような従来のミスト噴霧器においては、美容水を貯蔵している容器と超音波発振器間の連通部位で液体の供給のための通路と外部空気の流入のための通気孔が同一経路を共有する構造になっているため、ミスト噴霧器を使用していないときにも、外部空気の流入のために形成された通気孔を通じて容器内に貯蔵された液体が外部に漏洩するという欠陥がある。
【０００５】
また、このような貯蔵液体の外部への漏洩はミスト噴霧器の携帯に極めて不便さをかけることになるだけなく、貯蔵された液体の好ましくない消耗を引き起こすため、必要時に使用ができなくなることもあるという問題点を引き起こすことも存在する。
【発明の概要】
【発明が解決しようとする課題】
【０００６】
そこで、本発明は前記のような諸種の問題点に鑑みてなされたもので、貯蔵槽内の液体を霧化させて噴射するミスト噴霧器において、貯蔵槽内部を外部と連通可能にする空気流入通路の開閉をミスト噴霧器の使用操作に連動させることで、液体の噴射を容易にするとともに、使用後に貯蔵槽内部の外部との連通断絶によって貯蔵液体の外部漏洩をより積極的に排除することができるミスト噴霧器を提供することにその目的がある。
【課題を解決するための手段】
【０００７】
前記のような目的を達成するために本発明は、超音波発振器の作動によって貯蔵槽内に貯蔵された液体を霧化して外部に噴射するミスト噴霧器であって、前記貯蔵槽の内部と連通可能な空気流入通路の形成のために第１連通部と通気孔を備えたハウジング；前記貯蔵槽の内部への外部空気の流入を許容または遮断するために前記ハウジングに設置される通気孔開閉調節部；前記通気孔開閉調節部の開閉を調節するために移動可能に設置されるカバースイッチ；及び前記カバースイッチの動作に連動して、前記通気孔開閉調節部に開閉操作をするためのヒンジレバーを有することを特徴とする。
【０００８】
本発明は、前記カバースイッチの操作の際、作動感と復元性の提供のために設置されるリターンスプリングをさらに含むこともでき、前記第１連通部は前記貯蔵槽の上部に形成されることができる。
【０００９】
本発明において、前記通気孔開閉調節部は、前記ハウジング内に設置され、空気流入通路を開閉させるエアベントパッキング、及び前記ハウジング内で前記エアベントパッキングの背面を弾支して空気流入通路を常に閉鎖させる方向に付勢するエアベントスプリングを含むことができる。
【００１０】
本発明において、前記エアベントパッキングは、前記エアベントスプリングの一側自由端部を収容する開口部を背面に備えた胴体、前記胴体の前面で前記ヒンジレバーによって加圧される受圧部、及び前記受圧部の全周にわたって放射状に外部に突出して前記ハウジング内で空気流入通路を密閉させる気密部を含むことができる。
【００１１】
本発明において、前記カバースイッチは、操作のための把持部、前記把持部の背面に所定間隔の結合溝を置いて離隔した支持プレート、前記支持プレートの一端部に前記ヒンジレバーの旋回のために形成された突出部、及び前記リターンスプリングの自由端部との結合のための結合孔を含み、前記結合孔は前記突出部に形成されることができる。
【００１２】
本発明において、前記支持プレートは、前記超音波発振器の出口に連通可能なミスト噴射孔、及び前記カバースイッチの移動の検出のためのマグネチックの設置のための装着孔を含むことができる。
【００１３】
本発明において、前記ヒンジレバーは、旋回可能に設置される回転軸、前記カバースイッチと接触可能に形成された受圧部、及び前記通気孔開閉調節部の開閉切替のための加圧部を含むことができる。
【００１４】
本発明は、上下に分割されて組み立てられる本体、及び前記本体内の上部で左右に分割されて組み立てられる副本体をさらに含み；前記副本体は、前記カバースイッチのガイドのために上下方向に突出した設置部、前記リターンスプリングの固定端部を軸支する中実型ボス部、前記ヒンジレバーを軸支する中空型ボス部、及び前記超音波発振器の設置のための定着孔を含むことができる。
【発明の効果】
【００１５】
本発明は、貯蔵槽内に貯蔵された液体を霧化させて噴射することで皮膚に保湿効果などを提供するミスト噴霧器であり、貯蔵槽の内部と液体の霧化噴射部にあたる超音波発振器を連通可能にする部位とは別に外部と連通可能な空気流入通路を備え、その開閉調節をミスト噴霧器の使用操作に連動することができるようにすることで、液体の円滑な噴射はもちろんのこと、使用後に貯蔵槽内部の外部との断絶によって貯蔵液体の外部への漏洩をより根本的に遮断することができる効果を奏する。
【００１６】
特に、本発明は、貯蔵槽の内部と連通可能な空気流入通路の自動的な開閉転換をミスト噴霧器の使用のためのカバースイッチの開閉操作に連動させる構造を採択することで、消費者に使用操作における一層向上した便宜性を付与することができる。
【発明を実施するための最良の形態】
【００１７】
本発明は、貯蔵槽内の液体を霧化させて噴射するミスト噴霧器において、貯蔵槽内部を外部と連通可能にする空気流入通路の開閉をミスト噴霧器の使用操作に連動させることで、液体の噴射を容易にするとともに、使用後に貯蔵槽内部の外部との連通断絶によって貯蔵液体の外部漏洩をより積極的に排除することができるようにするために、超音波発振器の作動によって貯蔵槽内に貯蔵された液体を霧化して外部に噴射するミスト噴霧器であって、前記貯蔵槽の内部と連通可能な空気流入通路の形成のために第１連通部と通気孔を備えたハウジング；前記貯蔵槽の内部への外部空気の流入を許容または遮断するために前記ハウジングに設置される通気孔開閉調節部；前記通気孔開閉調節部の開閉を調節するために移動可能に設置されるカバースイッチ；及び前記カバースイッチの動作に連動して、前記通気孔開閉調節部に開閉操作をするためのヒンジレバーを有することを特徴とするミスト噴霧器を提供することにより実現した。
【図面の簡単な説明】
【００１８】
【図１】本発明によるミスト噴霧器を示す斜視図である。
【図２】図１のミスト噴霧器において本体の上部のみを除去した状態を示す斜視図である。
【図３】図２において貯蔵槽を除去した状態を示す斜視図である。
【図４】本発明によるミスト噴霧器全体を分解して示す斜視図である。
【図５】本発明によるミスト噴霧器全体の縦断面を示す断面図である。
【図６】本発明によるミスト噴霧器の構成の中で超音波発振器のみを分解して示す斜視図である。
【図７】図６に示す超音波発振器の中でノズルシャフトを含むノズル組立体のみを分解して示す斜視図である。
【図８】図６に示す超音波発振器の縦断面を示す断面図である。
【図９】図４に示す副本体に組み立てられるカバースイッチ、ヒンジレバー及びリターンスプリングの設置部位を部分的に示す分解斜視図である。
【図１０】図４に示す副本体に組み立てられるカバースイッチ、ヒンジレバー及びリターンスプリングの設置部位を部分的に示す断面図である。
【図１１】図９に示すカバースイッチの側面図である。
【図１２】図９に示すヒンジレバーの側面図である。
【図１３】図１０に示すエアベントパッキングの前面及び後面をそれぞれ示す斜視図である。
【図１４】図１０に示すエアベントパッキングの断面図である。
【実施例】
【００１９】
以下、本発明の好適な実施例を添付図面に基づいて詳細に説明する。
【００２０】
図１〜図５に示すように、ミスト噴霧器は、上下に分割されて組み立てられる本体１０、前記本体１０の上部において左右に分割されて組み立てられる副本体１２、前記本体１０と前記副本体１２の内部に設置される超音波発振器（ｕｌｔｒａｓｏｎｉｃ ｏｓｃｉｌｌａｔｏｒ）１４、貯蔵槽１６、回路基板１８、及び電源供給用バッテリー２０を備えている。
【００２１】
また、ミスト噴霧器は、前記貯蔵槽１６内に貯蔵された液体を前記超音波発振器１４に供給するために、前記副本体１２にスライド方式で操作されるカバースイッチ２２、前記カバースイッチ２２の操作に連動されるヒンジレバー２４、前記ヒンジレバー２４によって動作して前記貯蔵槽１６の空気流入通路を開放させる通気孔開閉調節部２６、前記超音波発振器１４の作動をオン／オフ制御するための噴射スイッチ２８、及び前記バッテリー２０の充電のために前記本体１０に対して開閉可能に設置される接続カバー３０を備えている。
【００２２】
前記本体１０は上下に分割されて組み立てられるもので、これらの間の組立部位には、内部空間を上下に区画して分割することで部品の設置をより容易にする中間本体３２が組み立てられる。前記副本体１２は前記本体１０の内部の上側部位で左右に分割されて組み立てられ、内部に前記超音波発振器１４が設置されるとともに前記カバースイッチ２２をスライド方式で移動可能に支持する役目をする。
【００２３】
前記超音波発振器１４は前記貯蔵槽１６の下側連通部位に設置され、通電時に発生する振動によって超音波を生成し、これにより内部に貯蔵された液体を霧化させて外部に噴射する機能を奏する。このために、前記超音波発振器１４は、図６〜図８に示すように、前記貯蔵槽１６に連通可能に設置される中空型ノズルシャフト３４、前記ノズルシャフト３４の外周面に組み立てられる一対の環状ピエゾ素子３６、前記ノズルシャフト３４の全長にかけて前記一対のピエゾ素子３６と交互に配置されるように組み立てられるリングターミナル３８、前記ピエゾ素子３６と前記リングターミナル３８の位置を固定させるために、前記ノズルシャフト３４の外周面にかけて両端部にそれぞれ締結されるノズルナット４０、及び前記ノズルシャフト３４と前記ノズルナット４０の間を絶縁させるように設置される絶縁チューブ４２を備えている。この場合、前記リングターミナル３８は前記回路基板１８とリードワイヤ４４を介して電気的に連結される。
【００２４】
そして、前記超音波発振器１４は、通電時に前記ピエゾ素子３６の大きさ変化によって振動を発生させる振動板にあたるウェーブワッシャ４６と平ワッシャ４８を備えている。また、前記超音波発振器１４は、前記ウェーブワッシャ４６と平ワッシャ４８の間で発生する超音波振動によって噴射される液体の霧化を一層促進して微粒化するためのメッシュ５０をさらに含む。この際、前記ウェーブワッシャ４６と平ワッシャ４８は内側ノズルリング５２を介して前記ノズルシャフト３４の一端部と前記メッシュ５０を介在した状態で持続的に接触するように支持され、前記内側ノズルリング５２は外部に嵌合される外側ノズルリング５４によってその位置が堅く固定される。
【００２５】
さらに、前記のような構成の超音波発振器１４は前記副本体１２内で外側パッキング５６と内側パッキング５８を介して定位置に堅固に支持されるように設置される。前記外側パッキング５６は前記外側ノズルリング５４と前記ノズルシャフト３４の外周に嵌合されたノズルナット４０を一緒に支持し、前記内側パッキング５８は前記ノズルシャフト３４上において反対側に位置するピエゾ素子３６とノズルナット４０を一緒に支持した状態で前記貯蔵槽１６の下側部位に対して前記超音波発振器１４のノズルシャフト３４を堅固に固定させる。
【００２６】
前記貯蔵槽１６は、図４に示すように、内部に所定量の液体（水またはその他の化粧水など）を貯蔵するための容器で、上部に前記通気孔開閉調節部２６の設置のための第１連通部１６ａが形成され、下部に前記超音波発振器１４の設置のための第２連通部１６ｂが形成される。図面において、未説明符号１６’は前記貯蔵槽１６に結合されて内部空間を密閉させる部材で、カバーに相当する。
【００２７】
前記第２連通部１６ｂは前記内側パッキング５８を介して前記超音波発振器１４のノズルシャフト３４を堅固に固定した状態で前記貯蔵槽１６内に貯蔵された液体を前記ノズルシャフト３４を通じて外部に供給する機能をし、前記ノズルシャフト３４を通じて外部に提供される液体は前記超音波発振器１４で発生する超音波振動によって霧化して外部に噴射されることになる。この際、外部に噴射される液体は前記ノズルシャフト３４の一先端部に位置する前記メッシュ５０を通じてさらに微粒化される。
【００２８】
前記第１連通部１６ａは、貯蔵槽１６の上部において前記通気孔開閉調節部２６の設置によって前記貯蔵槽１６の内部に外部空気を流入させる役目をする。すなわち、前記通気孔開閉調節部２６は、開放の際、前記貯蔵槽１６の第１連通部１６ａを通じて貯蔵槽１６の内部に外部空気を流入させて大気圧が作用するようにすることで、前記第２連通部１６ｂを通じて前記超音波発振器１４のノズルシャフト３４に内部の貯蔵液体の円滑な供給を持続的に可能にする。
【００２９】
前記回路基板１８は前記噴射スイッチ２８の操作によって前記バッテリー２０の電源を前記超音波発振器１４に供給する役目をする。より詳しくは、前記リングターミナル３８を介して前記ピエゾ素子３６に電源が供給されるようにする。この際、前記回路基板１８は、前記噴射スイッチ２８の１回操作の際、前記超音波発振器１４への通電時間を可変的に調節することができる。これとは異なり、前記噴射スイッチ２８としてオン／オフタイプのものを採択することで、前記回路基板１８から前記超音波発振器１４への通電時間を前記噴射スイッチ２８の切替によって連動させることもできる。このために、前記回路基板１８は、前記超音波発振器１４のリードワイヤ４４との電気的連結のための第１コネクタ１８ａ、前記バッテリー２０との電気的連結のための第２コネクタ１８ｂ、及び前記接続カバー３０の開閉によって外部に露出される充電ポート１８ｃを備える。
【００３０】
前記バッテリー２０は前記超音波発振器１４の動作に必要な電源を供給するもので、外部電源接続部に相当する前記充電ポート１８ｃを介した電源の再充電が可能な充電池でなる。この場合、前記充電ポート１８ｃはＵＳＢ接続端子などで具現され、前記接続カバー３０の開閉によって前記本体１０内に隠蔽されるかあるいは外部に露出されることができる。
【００３１】
前記カバースイッチ２２は、図９、図１０及び図１１に示すように、前記副本体１２に対してスライド方式で上下方向に移動可能に設置される平板部材であって、使用者の操作のための把持部２２ａ、前記把持部２２ａの背面に所定間隔の結合溝２２ｂを置いて離隔した支持プレート２２ｃ、及び前記支持プレート２２ｃの上端部において前記ヒンジレバー２４の旋回のための操作力の伝達のためにおよそ９０度程度に折り曲げられた形態の突出部２２ｄを備えている。
【００３２】
そして、前記カバースイッチ２２は、前記副本体１２に対してスライド方式で移動するとき、使用者にとって作動感を感じるようにするとともにオンまたはオフ位置への復元性を付与するために、トーションスプリングの形態のリターンスプリング６０を介して支持される。このために、前記カバースイッチ２２は前記リターンスプリング６０の自由端部との結合のための結合孔２２ｅを備える。本発明の実施例において、前記結合孔２２ｅは前記カバースイッチ２２の突出部２２ｄを貫通する位置に形成される。すなわち、前記リターンスプリング６０は前記副本体１２に対して一端部側固定端部が適正の固定位置で支持されるように設置され、他端部側自由端部が前記カバースイッチ２２の結合孔２２ｅ内に固定されることにより、前記カバースイッチ２２の上下方向への移動の際、作動感と復元性を提供することができることになる。特に、前記リターンスプリング６０は前記副本体１２に対して一端部側固定端部を中心として他端部側自由端部が特定の角度以上にずれると、前記カバースイッチ２２に対して上方向にさらに移動することができるようにする動作弾性力を提供し、特定の角度以下にずれると、下方向に移動して元の位置に復元することができるようにする復元弾性力を提供することになる。
【００３３】
また、前記カバースイッチ２２の支持プレート２２ｃは、前記超音波発振器１４のノズルシャフト３４の出口と連通可能になるように開口するミスト噴射孔２２ｆ、及び前記ミスト噴射孔２２ｆの下側にマグネチック６２の設置のための装着孔２２ｇを備えている。この際、前記ミスト噴射孔２２ｆは、前記カバースイッチ２２がスイッチオン状態に上昇移動するとき、前記超音波発振器１４のノズルシャフト３４の出口と連通可能な状態に転換され、前記ノズルシャフト３４を通じた液体の外部噴射ができるようにするものであり、前記装着孔２２ｇは、前記カバースイッチ２２がスイッチオン状態に上昇移動するとき、マグネチックセンサー（図示せず）がこれを検出するようにする前記マグネチック６２の設置のためのものである。すなわち、前記マグネチック６２は、前記カバースイッチ２２がスイッチオン状態に上昇移動するとき、前記回路基板１８に備えられたマグネチックセンサーがこれを検出するようにするもので、後続の前記噴射スイッチ２８の操作によって前記超音波発振器１４による液体の噴射ができるようにする一種のマグネチックスイッチに相当する。
【００３４】
前記ヒンジレバー２４は、図９、図１０及び図１２に示すように、前記副本体１２に対して回転可能に設置され、前記カバースイッチ２２の上昇による突出部２２ｄとの接触によって旋回する部材であって、前記副本体１２に旋回可能に結合される回転軸２４ａ、前記回転軸２４ａを中心として一端部で前記カバースイッチ２２の突出部２２ｄとの接触によって加圧力を受けるように伸びた形態の受圧部２４ｂ、及び前記回転軸２４ａを中心として他端部で前記通気孔開閉調節部２６の開閉切替のために外側に突出して加圧力を提供する加圧部２４ｃを備えている。
【００３５】
この場合、前記副本体１２は、図９及び図１０に示すように、前記カバースイッチ２２の把持部２２ａと支持プレート２２ｃの間に形成された前記結合溝２２ｂに結合され、前記カバースイッチ２２をスライド可能にするように上下方向に突出した形態の設置部１２ａ、前記リターンスプリング６０の一端部側固定端部の軸支のために突出した形態の中実型ボス部１２ｂ、左右側副本体１２間の組み立てのために突出した形態のスクリュー締結用中空型ボス部１２ｃ、前記ヒンジレバー２４の回転軸２４ａの軸支のために突出した形態の中空型ボス部１２ｄ、前記超音波発振器１４の設置のために開口した形態の定着孔１２ｅ、及び前記ヒンジレバー２４の加圧部２４ｃを外部に出没できるようにする貫通孔１２ｆをそれぞれ備えている。ここで、前記設置部１２ａは、前記副本体１２に対して前記カバースイッチ２２が上下方向に移動するとき、定位置をガイドする役目をするものである。
【００３６】
前記通気孔開閉調節部２６は、図１０、図１３及び図１４に示すように、前記貯蔵槽１６の第１連通部１６ａに設置され、前記ヒンジレバー２４の作動によって貯蔵槽１６の内部と外部を連通させることで、外部空気の自在な流出入ができるようにする通路に相当する空気流入通路を選択的に開放させる役目をする。このために、前記通気孔開閉調節部２６は、前記第１連通部１６ａ内に設置されて空気流入通路を開閉させるエアベントパッキング２６ａ、前記エアベントパッキング２６ａの背面を弾支して空気流入通路を常に閉鎖させる方向に付勢するエアベントスプリング２６ｂを備えている。
【００３７】
この際、前記貯蔵槽１６の第１連通部１６ａは前記エアベントパッキング２６ａと前記エアベントスプリング２６ｂの収容のための別途のハウジング１６ｃによって形成されるものであり、前記ハウジング１６ｃには、前記第１連通部１６ａと前記貯蔵槽１６の内部を連通させる通気孔１６ｄが別に形成される。また、前記エアベントパッキング２６ａは、前記ハウジング１６ｃ内で前記エアベントスプリング２６ｂの一側自由端部を受容するために背面に形成された開口部２６ｄを備えた胴体２６ｃ、前記胴体２６ｃの前面において前記ヒンジレバー２４の加圧部２４ｃによって加圧されるように突出した受圧部２６ｅ、及び前記受圧部２６ｅの全周にわたって放射状に外部に突出して前記ハウジング１６ｃ内で空気流入通路を密閉させるように気密作用をする気密部２６ｆを備えている。
【００３８】
前記噴射スイッチ２８は、図１〜図４に示すように、前記下部本体１０の側部から外部に露出された形態に設置され、使用者による加圧の際、前記回路基板１８に信号を入力して前記超音波発振器１４による超音波振動作用を開始する。
【００３９】
以下、本発明によるミスト噴霧器の使用のための一連の作動過程を順に説明する。
【００４０】
副本体１２に対して上下方向に移動可能な状態のカバースイッチ２２の把持部２２ａに上方向の操作力を加えれば、前記カバースイッチ２２の装着孔２２ｇに設置されたマグネチック６２も一緒に上昇し、これを回路基板１８に備えられたマグネチックセンサーが検出することで、ミスト噴射のための準備段階が開始される。
【００４１】
この際、前記副本体１２に形成された設置部１２ａは前記カバースイッチ２２の把持部２２ａと支持プレート２２ｃの間に形成された結合溝２２ｂを定位置にガイドする役目をし、この過程でリターンスプリング６０は前記カバースイッチ２２を操作する使用者にとって作動感を感じるようにするとともに前記カバースイッチ２２を上方向に完全に上げるようにする動作弾性力を提供する。さらに、前記カバースイッチ２２が上方向に完全に移動した状態で、前記カバースイッチ２２に形成されたミスト噴射孔２２ｆの位置は超音波発振器１４のノズルシャフト３４の出口位置と同一位置に転換される。
【００４２】
また、この過程で前記カバースイッチ２２の突出部２２ｄはヒンジレバー２４の受圧部２４ｂに操作力を伝達することになるので、前記ヒンジレバー２４は前記副本体１２に対して回転軸２４ａを中心として反時計方向（図１０基準）に回転することになり、これによりヒンジレバー２４の加圧部２４ｃは貯蔵槽１６の第１連通部１６ａと連通するハウジング１６ｃ内に設置されたエアベントパッキング２６ａの受圧部２６ｅに加圧力を伝達することになる。
【００４３】
この結果、前記貯蔵槽１６の第１連通部１６ａに備えられた通気孔開閉調節部２６は閉鎖状態から開放状態に転換されるので、前記貯蔵槽１６の内部には大気圧が作用することができるようになる。すなわち、前記エアベントパッキング２６ａは前記ヒンジレバー２４から加わる操作力によって後退しながら前記エアベントスプリング２６ｂを収縮させ、これにより前記エアベントパッキング２６ａの気密部２６ｆは前記第１連通部１６ａを開放させることになるので、外部空気は前記第１連通部１６ａを通って前記ハウジング１６ｃに形成された通気孔１６ｄを通じて前記貯蔵槽１６の内部に流入することができることになる。
【００４４】
ついで、噴射スイッチ２８を操作すれば、前記回路基板１８はバッテリー２０の電源を前記超音波発振器１４のピエゾ素子３６に供給することになる。この際、前記超音波発振器１４においては、ウェーブワッシャ４６と平ワッシャ４８の間で発生する振動による超音波によって前記貯蔵槽１６内に貯蔵された液体を霧化させて前記ノズルシャフト３４の出口を通じて外部に噴射することになる。すなわち、ミスト噴霧器の使用の際、前記貯蔵槽１６の第１連通部１６ａに形成された空気流入通路を人為的に開放させて貯蔵槽１６の内部に外部空気による大気圧を持続的に作用させることで、前記貯蔵槽１６の第２連通部１６ｂと連通可能に設置された超音波発振器１４から外部にミストの噴射が絶えず一層なだらかになされることができる。また、この過程で、前記ノズルシャフト３４の出口に設置されたメッシュ５０は外部に噴射されるミストの霧化をより促進させて皮膚美容の効果を一層向上させることができることになる。
【００４５】
このような一連のミスト噴射過程が終わった後、反対に前記カバースイッチ２２を下方向に下げれば、前記ヒンジレバー２４の受圧部２４ｂに加わった操作力による外力が消失されるとともに前記ヒンジレバー２４から前記エアベントパッキング２６ａに加わった外力も一緒に消失される。これにより、前記通気孔開閉調節部２６においては、エアベントスプリング２６ｂによる復元力によってエアベントパッキング２６ａが前記貯蔵槽１６の第１連通部１６ａを元の状態に閉鎖させることになる。
【００４６】
この結果、前記貯蔵槽１６においては、第１連通部１６ａの開放によって外部から持続的に流入する空気が遮断されるので、ミスト噴射の終了後、器機の外部に液体が漏洩する現象を排除することができることになる。すなわち、ミストの噴射中に前記貯蔵槽１６内に作用した大気圧が噴射の終了による前記カバースイッチ２２の操作と同時に遮断されるので、前記貯蔵槽１６内に貯蔵された液体の外部漏洩がより積極的に遮断できることになる。
【００４７】
以上のように、本発明の好適な実施例について添付図面を参照して説明したが、本発明は上述した特定の実施例によって限定されるものではなく、本発明が属する技術分野で通常の知識を持った者によって本発明の技術的思想と以下に開示する請求範囲の均等範囲内で多様な形態の修正及び変形が可能であるのはいうまでもない。
【産業上の利用可能性】
【００４８】
本発明は、カバースイッチの開閉操作に連動して貯蔵槽側通気孔が自動で開閉転換できるようにする通気孔の開閉調節機能を有するミスト噴霧器に適用可能である。
【符号の説明】
【００４９】
１０    本体
１２    副本体
１２ａ    設置部
１２ｂ、１２ｃ、１２ｄ    ボス部
１２ｅ    定着孔
１２ｆ    貫通孔
１４    超音波発振器
１６    貯蔵槽
１６ａ    第１連通部
１６ｂ    第２連通部
１６ｃ    ハウジング
１６ｄ    通気孔
１８    回路基板
１８ａ    第１コネクタ
１８ｂ    第２コネクタ
１８ｃ    充電ポート
２０    バッテリー
２２    カバースイッチ
２２ａ    把持部
２２ｂ    結合溝
２２ｃ    支持プレート
２２ｄ    突出部
２２ｅ    結合孔
２２ｆ    ミスト噴射孔
２２ｇ    装着孔
２４    ヒンジレバー
２４ａ    回転軸
２４ｂ    受圧部
２４ｃ    加圧部
２６    通気孔開閉調節部
２６ａ    エアベントパッキング
２６ｂ    エアベントスプリング
２６ｃ    胴体
２６ｄ    開口部
２６ｅ    受圧部
２６ｆ    気密部
２８    噴射スイッチ
３０    接続カバー
３２    中間本体
３４    ノズルシャフト
３６    ピエゾ素子
３８    リングターミナル
４０    ノズルナット
４２    絶縁チューブ
４４    リードワイヤ
４６    ウェーブワッシャ
４８    平ワッシャ
５０    メッシュ
５２    内側ノズルリング
５４    外側ノズルリング
５６    外側パッキング
５８    内側パッキング
６０    リターンスプリング
６２    マグネチック
【図１】
0005209758.tif 000002
【図２】
0005209758.tif 000003
【図３】
0005209758.tif 000004
【図４】
0005209758.tif 000005
【図５】
0005209758.tif 000006
【図６】
0005209758.tif 000007
【図７】
0005209758.tif 000008
【図８】
0005209758.tif 000009
【図９】
0005209758.tif 000010
【図１０】
0005209758.tif 000011
【図１１】
0005209758.tif 000012
【図１２】
0005209758.tif 000013
【図１３】
0005209758.tif 000014
【図１４】
0005209758.tif 000015